(57)【要約】【課題】幹線バスダクトから枝回路バスダクトへの分岐部の構造を簡単にすると共に、分岐部における磁束の漏洩を小さくする。【解決手段】主電源盤１及びバックアップ系電源盤２に接続された密着絶縁型の幹線バスダクト３，４から幹線分岐器具５，６により空気絶縁型の枝回路バスダクト７，８が分岐され、それらから複数の被給電設備１１に給電する。幹線分岐器具５，６は、金属ケースに収納され、幹線バスダクト３，４へのプラグイン接続部を有し、幹線バスダクト３，４と直角方向に枝回路バスダクト７，８の端部を取り付け、プラグイン接続部と枝回路バスダクトとを内部で接続している。枝線分岐器具９，１０は、枝回路バスダクト７，８へのプラグイン接続部を有し、被給電設備１１への接続装置を有する。【選択図】　　　　　　　　図１
2004104896.tif 000002
【特許請求の範囲】
【請求項１】
電源盤に接続された密着絶縁型の幹線バスダクトと、
該幹線バスダクトから分岐されて複数の被給電設備に給電する空気絶縁型の枝回路バスダクトと、
金属ケースに収納され、前記幹線バスダクトへのプラグイン接続部を有し、幹線バスダクトと直角方向に前記枝回路バスダクトの端部を取り付け、前記プラグイン接続部と枝回路バスダクトとを内部で接続した幹線分岐器具と、
前記枝回路バスダクトへのプラグイン接続部を有し、前記被給電設備への接続装置を有する枝線分岐器具と
を具えたことを特徴とする低圧配電システム。
【請求項２】
前記幹線バスダクトは、上下に平行に２系統具え、前記幹線分岐器具は、前記枝回路バスダクトの位置は一定で、前記プラグイン接続部を上下２系統の幹線バスダクトの両方の対向位置に設置できるようにしたことを特徴とする請求項１記載の低圧配電システム。
【請求項３】
前記幹線バスダクト及び枝回路バスダクトは、三相４線式バスダクトであり、前記枝線分岐器具は、それぞれ中性線と互いに異なる各相とに接続された３個の接続装置を設けたことを特徴とする請求項１又は２記載の低圧配電システム。
【請求項４】
前記接続装置は、抜け防止ロック機構付きコンセントであり、前記枝線分岐器具の垂直面に設けたことを特徴とする請求項１，２又は３記載の低圧配電システム。
【請求項５】
前記枝回路バスダクトは、ダクトが上下左右４枚のダクト形成板よりなり、上下及び左右のダクト形成板は、両縁部に半円筒状に形成した係合部を嵌め込んで組み立てられたものであり、前記枝線分岐器具は、前記係合部にフック状のケース固定金具を引っ掛けることにより枝回路バスダクトに固定することを特徴とする請求項１，２，３又は４記載の低圧配電システム。
【請求項６】
前記枝線分岐器具の枝回路バスダクト取付面から突出させてインターロックロッドを設け、枝回路バスダクトの対向位置に前記インターロックロッドが嵌合する凹陥部を設けたことを特徴とする請求項１，２，３，４又は５記載の低圧配電システム。
【請求項７】
前記枝線分岐器具の枝回路バスダクト取付面に、対向面の金属を露出させた接触カバーを対向して設け、枝線分岐器具を装着した際に、前記接触カバーで枝回路バスダクトを狭持することを特徴とする請求項１，２，３，４，５叉は６記載の低圧配電システム。
【発明の詳細な説明】
【０００１】
【発明の属する技術分野】
本発明は、バスダクト配線により多数の給電点に配電する低圧配電システムに関するものである。
【０００２】
【従来の技術】
給電点が多数になる場合、ケーブル配線では、ケーブル及びケーブルを支持するケーブルラック等が占有する空間が膨大になり、また、多数のケーブルが錯綜するため、回路の特定が困難になって誤配線が発生しやすい。例えば、あるデータセンターの配電システムについて、幹線部分をケーブル配線で検討したところ１２０本ものケーブル布設が必要になると見積られた。
【０００３】
さらに、ケーブル配線では、特に相電流がアンバランスの時など、漏洩磁束によるノイズが大きくなるため、コンピュータ等、ノイズの影響を受けやすい装置に給電する場合には不向きである。また、データセンターにおいては、コンピュータ等を収納したキャビネットを更新・増設することが多々あり、それらの更新・増設により負荷容量が倍増することもありうるので、無停電で追加工事の容易なシステムが必要になるが、ケーブルではその実現が大変困難である。
【０００４】
ケーブル配線にはそのような問題点があるため、給電点が多数になる場合や、ノイズの発生を抑えたい場合には、バスダクト配線が多く採用されている。
【０００５】
図１２は、バスダクトによる従来の低圧配電システムを示す図である。図１２において、４０は幹線バスダクト、４１は幹線分岐器具、４２はサーキットブレーカ、４３はケーブル、４４は枝線接続器具、４５はサーキットブレーカ、４６は枝回路バスダクト、４７は枝線分岐器具、４８は被給電設備である。
【０００６】
幹線バスダクト４０は、電源盤（図示せず）に接続されており、幹線バスダクト４０からは複数本の枝回路バスダクト４６が分岐され、それらを介して各被給電設備４８に給電される。幹線バスダクト４０から枝回路バスダクト４６への分岐は、プラグイン式の幹線分岐器具４１を使って行われる。幹線分岐器具４１は、ケーブル４３によりプラグイン式の枝線接続器具４４に接続されており、幹線バスダクト４０と枝回路バスダクト４６は、幹線分岐器具４１，ケーブル４３及び枝線接続器具４４を介して接続されている。また、幹線分岐器具４１と枝線接続器具４４は、それぞれサーキットブレーカ４２，４５を具えており、必要に応じて両バスダクト間の接続を開閉できるようにしている。
【０００７】
そして、枝回路バスダクト４６から各被給電設備４８への給電は、図１３に示すようなプラグイン式の枝線分岐器具４７により行われる。なお、ここでは三相４線式のバスダクトが採用されている場合で示している。支持金具５１の間に枝回路バスダクト４６を挟み込むようにして、プラグイン部５０を枝回路バスダクト４６に設けられている受口に挿入すると、接触部４９が枝回路バスダクト４６のそれぞれの導体を挟み込むことにより枝線分岐器具４７が枝回路バスダクト４６に接続される。そして、支持金具５１の先端部に一端を固定したバンド５２を、枝回路バスダクト４６の反対側の面にわたしてクランプ５３で締め付けることにより枝線分岐器具４７を枝回路バスダクト４６へ固定する。
【０００８】
そして、三相４線式のバスダクト導体の内、中性線に接続された接触部４９と他のいずれか一相に接続された接触部４９とからサーキットブレーカ５４を介してケーブルを接続し、それをケーブル引出孔５５から引き出して被給電設備４８に接続する。このようなバスダクトによる低圧配電システムによれば、給電点が多数になる場合でも、比較的少ない空間で配線でき、また、回路の特定が容易になり、さらに、導体部分が磁気シールド性の高い金属ダクトにより囲まれるため、漏洩磁束が小さくなって、ノイズも最小限に抑えることができる。
【０００９】
【発明が解決しようとする課題】
しかしながら、上記従来の低圧配電システムには、幹線バスダクト４０から枝回路バスダクト４６への分岐部で、幹線分岐器具４１と枝線接続器具４４の二つの器具が必要になり、その上、両者の間をケーブル４３で接続する必要があって、構造が複雑になると共に、ケーブル４３から漏洩磁束が発生しやすいという問題点があった。
【００１０】
また、各枝線分岐器具４７は、枝回路バスダクト４６の４本の導体の内、中性線といずれか一相との間に接続されるため、各相電流のバランスをとるためには、それそれの相に接続できるように３種類の枝線分岐器具４７を用意する必要があり、しかも、それらの使用数を均等にする必要があって、工事が複雑になるという問題点もあった。さらにまた、枝線分岐器具４７は、支持金具５１とバンド５２により枝回路バスダクト４６に固定するようにしているため、枝回路バスダクト４６の両側に隣接して設けようとすると他方の枝回路バスダクト４６が邪魔になって、バンド５２を掛けることができず、結局、枝回路バスダクト４６の両側に隣接して設けられないという問題点もあった。
【００１１】
本発明は、そのような問題点を解決すること、すなわち、幹線バスダクトから枝回路バスダクトへの分岐部の構造を簡単にすると共に、磁束の漏洩を小さくすることを目的とするものである。
【００１２】
また、枝線分岐器具は、１種類だけですみ、かつ、各相電流のバランスも取りやすくすること、さらに、枝回路バスダクトの両側に隣接して設けられるようにすることを目的とするものである。
【００１３】
【課題を解決するための手段】
前記課題を解決するため、請求項１に記載の低圧配電システムは、電源盤に接続された密着絶縁型の幹線バスダクトと、該幹線バスダクトから分岐されて複数の被給電設備に給電する空気絶縁型の枝回路バスダクトと、金属ケースに収納され、前記幹線バスダクトへのプラグイン接続部を有し、幹線バスダクトと直角方向に前記枝回路バスダクトの端部を取り付け、前記プラグイン接続部と枝回路バスダクトとを内部で接続する幹線分岐器具と、前記枝回路バスダクトへのプラグイン接続部を有し、前記被給電設備への接続装置を有する枝線分岐器具とを具えたことを特徴とする。このようにすると、幹線バスダクトから枝回路バスダクトへの分岐部の構造が簡単になると共に、磁束の漏洩も小さくなる。
【００１４】
また、請求項２に記載の低圧配電システムでは、前記幹線バスダクトは、上下に平行に２系統具え、前記幹線分岐器具は、前記枝回路バスダクトの位置は一定で、前記プラグイン接続部を上下２系統の幹線バスダクトの両方の対向位置に設置できるようにしたことを特徴とする。このようにすると、１種類の幹線分岐器具で上下２系統の幹線バスダクトの分岐が可能になるとともに、分岐した２系統の枝回路バスダクトは同じ高さで平行に配設され、天井部分のスペース効率が向上する。
【００１５】
また、請求項３に記載の低圧配電システムでは、前記幹線バスダクト及び枝回路バスダクトは、三相４線式バスダクトであり、前記枝線分岐器具は、それぞれ中性線と互いに異なる各相とに接続された３個の接続装置を設けたことを特徴とする。このようにすると、三相の各相電流のバランスを取りやすくなる。
【００１６】
また、請求項４に記載の低圧配電システムでは、前記接続装置は、抜け防止ロック機構付きコンセントであり、前記枝線分岐器具の垂直面に設けたことを特徴とする。このようにすると、給電側のプラグの脱落をより確実に防止できる。
【００１７】
また、請求項５に記載の低圧配電システムでは、前記枝回路バスダクトは、ダクトが上下左右４枚のダクト形成板よりなり、上下及び左右のダクト形成板は、両縁部に半円筒状に形成した係合部を嵌め込んで組み立てられたものであり、前記枝線分岐器具は、前記係合部にフック状のケース固定金具を引っ掛けることにより枝回路バスダクトに固定することを特徴とする。このようにすると、簡単に、しかもすっきりと枝線分岐器具を固定できるとともに、枝線分岐器具を枝回路バスダクトの前後に隣接して設けても互いに邪魔にならなくなって枝回路バスダクトの両側に隣接して設けられるようになる。
【００１８】
また、請求項６に記載の低圧配電システムは、前記枝線分岐器具の枝回路バスダクト取付面から突出させてインターロックロッドを設け、枝回路バスダクトの対向位置に前記インターロックロッドが嵌合する凹陥部を設けたことを特徴とする。このようにすると、常に接続の極性が一定になって、誤接続を防止できる。
【００１９】
また、請求項７に記載の低圧配電システムは、前記枝線分岐器具の枝回路バスダクト取付面に、対向面の金属を露出させた接触カバーを対向して設け、枝線分岐器具を装着した際に、前記接触カバーで枝回路バスダクトを狭持することを特徴とする。このようにすると、枝線分岐器具を枝回路バスダクトに装着する際に、接触部が枝回路バスダクトの導体に接触する前に接触カバーが枝回路バスダクトの外面に接触し、枝線分岐器具のケースが、アースされている枝回路バスダクトのダクトに電気的に接続されて安全性が確保される。
【００２０】
【発明の実施の形態】
以下、本発明の実施の形態を図面に基づいて詳細に説明する。
図１は、本発明の一実施形態の水平配置図、図２は、その配置断面図である。図１，２において、１は主電源盤１、２はバックアップ系電源盤、３，４は幹線バスダクト、５，６は幹線分岐器具、７，８は枝回路バスダクト、９，１０は枝線分岐器具、１１は被給電設備である。
【００２１】
この実施形態では、データセンター等において、多数のサーバーに電源を供給する場合で示しており、被給電設備１１は、それぞれ複数台のコンピュータが収納されたキャビネットである。データセンターでは通常、床下配線が採用されるが、床下配線では床高さのかさ上げ分だけ有効スペースが損なわれる。また、床下に電源系と通信系の配線を混在させて設けると、電源系から通信系へ与えるノイズが問題となる。そこで、ここでは、幹線バスダクト３，４及び枝回路バスダクト７，８を天井近くに配設している。また、電源の安定供給を確保するため、電源盤として主電源盤１のほかにバックアップ系電源盤２を設けている。
【００２２】
主電源盤１，バックアップ系電源盤２には、それぞれ、幹線バスダクト３，４が接続され、両幹線バスダクト３，４は、天井から共通の吊りボルトで支持できるように、上下平行に配設されている。幹線バスダクト３，４は、図３に断面図を示すような密着絶縁型バスダクトを用いる。板状の銅又はアルミよりなる各導体１３は各相毎に耐熱ＰＶＣ等の耐熱性を有する導体絶縁物１４で被覆され、それらを密着させて金属製のダクト１２に組み込んでいる。密着絶縁型バスダクトは、サイズがコンパクトでありながら大きな電流容量が得られ、また、外部漏洩磁束も小さくなる。
【００２３】
また、枝回路バスダクト７，８は、図４に断面図を示すような空気絶縁型バスダクトを用いる。板状の銅又はアルミよりなる各導体２０を耐熱性の絶縁支持物１９の溝に嵌め込み支持し、外周を金属製のダクトで覆っている。ダクトは、上下左右のダクト形成板１５，１６で形成され、両ダクト形成板１５，１６は、両縁部に半円筒状に形成した係合部１７，１８を嵌め込むことにより一体化されている。空気絶縁型バスダクトは、プラグイン接続部において、導体間隔を拡開する等の処理が必要なく、多数の分岐器具をプラグイン式で取り付けるのに有利である。
【００２４】
幹線バスダクト３，４及び枝回路バスダクト７，８は、複数本のバスダクトユニットが連結されて一連のラインが形成されるが、各バスダクトユニットのダクト及びバスダクトユニットのダクトと幹線分岐器具５，６のケースとは、互いにグランドブスバーにより接続されて、完全にアースされている。
【００２５】
さらに、幹線バスダクト３，４及び枝回路バスダクト７，８には、プラグイン接続部付きのものを用いる。すなわち、所定位置にプラグインホールを設け、分岐器具をプラグインホールに差し込むだけで簡単に分岐できるようにしたものを用いている。
【００２６】
図５は、幹線分岐器具を示す図である。図５は、幹線分岐器具を平面図，正面図及び側面図で示している。符号は、図１〜４のものに対応しており、２１は幹線バスダクト３へのプラグイン接続部、２２はサーキットブレーカ、２３，２４は内部接続用のケーブルである。幹線分岐器具５は、金属製のケースで覆われており、その一面に枝回路バスダクトの一端が取り付けられている。そして、その対向面の幹線バスダクト３と対向する上段には、プラグイン接続部２１が設けられている。
【００２７】
プラグイン接続部２１では、幹線バスダクト３の幹線分岐器具対向面にプラグインホールが設けられており、その内部では、図６（イ）に示すように、導体１３の間隔が広げられ、互い違いに導体絶縁物１４を除去して導体１３を露出させ、そこにバネ性の接触部２５を取り付けている。一方、幹線分岐器具５側には、各接触部２５に対向する位置に図６（ロ）に示すような挿入バー２６を設け、それらを接触部２５に差し込むことにより、幹線分岐器具５が幹線バスダクト３に接続される。
【００２８】
プラグイン接続部２１の各挿入バー２６は、ケーブル２３，サーキットブレーカ２２及びケーブル２４を介して枝回路バスダクト７の各導体２０に接続されている。このような幹線分岐器具５を用いれば、ケーブル２３，２４は幹線分岐器具５の金属ケースにより遮蔽されるため、ケーブル２３，２４からの磁束漏洩を抑えることができる。
【００２９】
なお、上記実施形態では、幹線分岐器具を上段の幹線バスダクト３に接続し、幹線バスダクト３から分岐する場合で示したが、この幹線分岐器具は、図７に示すように下段の幹線バスダクト４の分岐にも対応できる。その場合、プラグイン接続部２１を下段の幹線バスダクト４に対向する位置に設け、枝回路バスダクト８の高さ位置は、図５の場合と同じである。したがって、主電源系の枝回路バスダクト７とバックアップ系の枝回路バスダクト８は同じ高さで平行に配設され、天井部分のスペース効率が向上する。
【００３０】
枝回路バスダクト７，８には、図８に示すように、両側面に互い違いにプラグインホール２７が設けられており、使用しないプラグインホールにはカバー２８が装着されている。カバー２８を取り外すと、枝回路バスダクト７の導体２０が露出され、それに枝線分岐器具９の接触部を嵌め合わせることができる。凹陥部２９は、後述する枝線分岐器具のインターロックロッドを受け入れるためのものである。
【００３１】
図９は、枝線分岐器具を示す図である。図９は、枝線分岐器具を平面図，正面図及び側面図で示しており、３０は接触部、３１は接触カバー、３２はケース固定金具、３３はインターロックロッド、３４はサーキットブレーカ、３５はコンセント、３６は取手である。
【００３２】
取手３６を持って、接触部３０を枝回路バスダクト７，８のプラグインホール２７に差し込む。その際、インターロックロッド３３を前記枝回路バスダクト７，８の凹陥部２９に合わせて差し込む。凹陥部２９は、枝回路バスダクト７の中性線に対応する位置に設けられており、インターロックロッド３３を凹陥部２９に合わせて差し込めば、常に接続の極性が一定になって、誤接続を防止できる。
【００３３】
また、接触部３０の両側に設けられている接触カバー３１は、枝線分岐器具９のケースから一体的に切り起こして形成され、枝線分岐器具９を枝回路バスダクト７に装着した際に、それらが枝回路バスダクト７を挟み込むようになっている。その中央部周囲には、打ち抜き加工によってコの字状のスリット３１ａを設け、その内側部分を接触部３０側に折り曲げて当接片３１ｂを設け、その内側面は、マスキング処理により金属面を露出させている。その結果、枝線分岐器具９を枝回路バスダクト７に装着する際に、接触部３０が枝回路バスダクト７の導体２０に接触する前に当接片３１ｂが枝回路バスダクト７の外面に接触し、枝線分岐器具９のケースが、枝回路バスダクト７のダクトを介してアースされ、安全性が確保される。
【００３４】
枝線分岐器具９の枝回路バスダクト７への固定は、ケース固定金具３２，３２によって行う。ケース固定金具３２は、図１０に示すように、ケース内側に水平に設けられた固定板３７にネジ３８により取り付けられている。ネジ３８は緩められた状態では、下部が左右に拡開できる。その状態でケース固定金具３２，３２のフック状先端部を枝回路バスダクト７の係合部１７，１８（図４参照）に引っ掛け、ネジ３８を締め付ける。その結果、枝線分岐器具９は、枝回路バスダクト７に強固に固定される。このように、枝線分岐器具９の固定に従来のもののようなバンド５２（図１３）が不要になるため、枝線分岐器具９を枝回路バスダクト７の両側に隣接して設けても邪魔になるものがなくなる。
【００３５】
枝線分岐器具９は、３個のサーキットブレーカ３４と３個のコンセント３５を具えている。また、幹線バスダクト３，４及び枝回路バスダクト７，８は、三相４線式バスダクトであり、各サーキットブレーカ３４とコンセント３５は、図１１に示すように、それぞれ中性線Ｎと各相Ｒ，Ｓ，Ｔとに接続され、各相から一つの負荷をとることとして、相電流のアンバランスが起こりにくくしている。
【００３６】
また、コンセント３５は、抜け防止ロック機構付きのものを用いて、被給電設備１１側のプラグが抜けにくくなるようにしている。ただ、抜け防止ロック機構付きのコンセントを用いても、それに接続されるケーブルに撚りが残っていると、撚り戻りによってロック機構が外れてしまうおそれがある。そこで、仮に撚り戻りによってロック機構が外れてもプラグがコンセントから外れないように、コンセント３５を枝線分岐器具９の垂直面に取り付けることとした。
【００３７】
そしてまた、幹線分岐器具５，６及び枝線分岐器具９，１０は、内部にサーキットブレーカ２２，３４を設けているため、分電盤として機能し、無停電で設備の増設や補修ができる。
【００３８】
【発明の効果】
本発明は、以上説明したように構成されているので、次に記載するような効果を奏する。
すなわち、請求項１に記載の低圧配電システムは、幹線バスダクトに密着絶縁型バスダクトを用い、枝回路バスダクトに空気絶縁型バスダクトを用いたので、設置スペースを抑えながら、漏洩磁束を最小にし、かつ、多数の給電点へ簡単に給電できる。また、各給電点はキャビネット直近なので、配線系統の点検・調査が極めて容易になる。また、幹線バスダクトから枝回路バスダクトへの分岐を、金属ケースに収納され、幹線バスダクトへのプラグイン接続部を有し、幹線バスダクトと直角方向に枝回路バスダクトの端部を取り付け、プラグイン接続部と枝回路バスダクトとを内部で接続する幹線分岐器具を使って行うようにしたので、分岐部の構造が簡単になると共に、磁束の漏洩も小さくなる。さらに、プラグイン接続の採用により無停電で施工できるので、停電による機能停止時間を最小にすることができる。
【００３９】
また、請求項２に記載の低圧配電システムの幹線バスダクトは、上下に平行に２系統具え、前記幹線分岐器具は、前記枝回路バスダクトの位置を一定に保ちながら、前記プラグイン接続部を上下２系統の幹線バスダクトの両方の対向位置に設置できるようにした。その結果、１種類の幹線分岐器具で上下２系統の幹線バスダクトの分岐が可能になるとともに、分岐した２系統の枝回路バスダクトは同じ高さで平行に配設され、天井部分のスペース効率や向上する。
【００４０】
また、請求項３に記載の低圧配電システムの幹線バスダクト及び枝回路バスダクトは、三相４線式バスダクトであり、前記枝線分岐器具は、それぞれ中性線と互いに異なる各相とに接続された３個の接続装置を設けたので、三相の各相電流のバランスを取りやすくなる。
【００４１】
また、請求項４に記載の低圧配電システムの接続装置は、抜け防止ロック機構付きコンセントであり、枝線分岐器具の垂直面に設けたので、給電側のプラグの脱落をより確実に防止できる。
【００４２】
また、請求項５に記載の低圧配電システムは、枝回路バスダクトの係合部にフック状のケース固定金具を引っ掛けることにより前記枝線分岐器具を枝回路バスダクトに固定するようにしたので、簡単に、しかもすっきりと枝線分岐器具を固定できるとともに、枝線分岐器具を枝回路バスダクトの前後に隣接して設けても互いに邪魔にならなくなって枝回路バスダクトの両側に隣接して設けられるようになる。
【００４３】
また、請求項６に記載の低圧配電システムは、枝線分岐器具の枝回路バスダクト取付面から突出させてインターロックロッドを設け、枝回路バスダクトの対向位置に前記インターロックロッドが嵌合する凹陥部を設けたので、常に接続の極性が一定になって、誤接続を防止できる。
【００４４】
また、請求項７に記載の低圧配電システムは、枝線分岐器具の枝回路バスダクト取付面に、対向面の金属を露出させた接触カバーを対向して設け、枝線分岐器具を装着した際に、前記接触カバーで枝回路バスダクトを狭持するようにしたので、枝線分岐器具を枝回路バスダクトに装着する際に、接触部が枝回路バスダクトの導体に接触する前に接触カバーが枝回路バスダクトの外面に接触し、枝線分岐器具のケースが、アースされている枝回路バスダクトのダクトに電気的に接続されて安全性が確保される。
【図面の簡単な説明】
【図１】本発明の一実施形態の水平配置図である。
【図２】図１のものの配置断面図である。
【図３】幹線バスダクトの断面図である。
【図４】枝回路バスダクトの断面図である。
【図５】幹線分岐器具を示す図である。
【図６】幹線バスダクトと幹線分岐器具との接続構造を示す図である。
【図７】下段の幹線バスダクトに幹線分岐器具を接続した場合を示す図である。
【図８】枝回路バスダクトにおけるプラグインホールの配置を示す図である。
【図９】枝線分岐器具を示す図である。
【図１０】枝線分岐器具のケース固定金具の説明図である。
【図１１】枝線分岐器具の内部接続図である。
【図１２】バスダクトによる従来の低圧配電システムを示す図である。
【図１３】従来の枝線分岐器具を示す図である。
【符号の説明】
１…主電源盤
２…バックアップ系電源盤
３，４…幹線バスダクト
５，６…幹線分岐器具
７，８…枝回路バスダクト
９，１０…枝線分岐器具
１１…被給電設備
１２…ダクト
１３…導体
１４…導体絶縁物
１５，１６…ダクト形成板
１７，１８…係合部
１９…絶縁支持物
２０…導体
２１…プラグイン接続部
２２…サーキットブレーカ
２３，２４…ケーブル
２５…接触部
２６…挿入バー
２７…プラグインホール
２８…カバー
２９…凹陥部
３０…接触部
３１…接触カバー
３２…ケース固定金具
３３…インターロックロッド
３４…サーキットブレーカ
３５…コンセント
３６…取手
３７…固定板
３８…ネジ
【図１】
2004104896.tif 000003
【図２】
2004104896.tif 000004
【図３】
2004104896.tif 000005
【図４】
2004104896.tif 000006
【図５】
2004104896.tif 000007
【図６】
2004104896.tif 000008
【図７】
2004104896.tif 000009
【図８】
2004104896.tif 000010
【図９】
2004104896.tif 000011
【図１０】
2004104896.tif 000012
【図１１】
2004104896.tif 000013
【図１２】
2004104896.tif 000014
【図１３】
2004104896.tif 000015